(57)【要約】  本発明はモバイルパスポート及びこれを生成するためのモバイルパスポート生成システムとモバイルパスポート認証方法に関し、より詳しくは、実物パスポートに記載されたパスポート情報を電子化してモバイルパスポートを生成することでパスポートの紛失の虞を解消し、単純にスキャンまたは入力だけで外国人観光客のパスポート認証が容易に行われて税金還付などの便宜性を増大させたモバイルパスポート及びこれを生成するためのモバイルパスポート生成システムとモバイルパスポート認証方法に関する。このために、パスポート情報を含むＱＲコードと、写真表記部、国家表記部及び簡易認証番号を有するモバイルパスポートをモバイルパスポート情報生成部と、暗号生成部及びモバイルパスポート管理サーバー及び端末機を含むモバイルパスポート生成システムを利用して生成し、生成されたモバイルパスポートと連動されたＱＲコード、簡易認証番号、クーポン番号、税金還付取引番号を確認することでパスポート所持者の身分を確認することができる。
2021520534.tif 000002
【特許請求の範囲】
【請求項１】
旅券番号、国籍、氏名、生年月日、性別、有効期限、市民権番号、パスポート写真の中の少なくとも一つ以上のパスポート情報を実物パスポートから認識して抽出し、モバイルパスポート生成システムを通じて情報を暗号化して再組合するが、
旅券番号、氏名、生年月日、国家及びパスポート写真のハッシュ値を暗号化して生成したＱＲコード（１０）と、
抽出されたパスポート写真を表記する写真表記部（２０）と、
抽出された国家を文字またはイメージで表記する国家表記部（３０）と、
抽出された旅券番号に対応して生成された簡易認証番号（４１）を表記する簡易認証コード部（４０）と含んでなり、実物パスポートなしに電子化されたコードのみで身元を確認することができることを特徴とするモバイルパスポート。
【請求項２】
前記モバイルパスポートは、
スマートフォンのディスプレイウィンドウに変換されて表示されるか、ＱＲコード化して出力されて用いられることができ、対応するクーポン番号が発行されて保存されたことを特徴とする請求項１に記載のモバイルパスポート。
【請求項３】
請求項１または請求項２によるモバイルパスポートを生成するためのモバイルパスポート生成システムにおいて、
カメラで実物パスポートを認識して抽出したパスポート情報を官庁とネットワーク通信を利用して正常な状態の旅券番号であるかを確認するパスポート認証部（１１１）と、前記パスポート情報の中で旅券番号に対応する簡易認証番号を生成するモバイルパスポート簡易認証部（１１２）と、前記パスポート情報の中で旅券番号に対応するクーポン番号を生成するクーポン発行管理部（１１３）とを含むモバイルパスポート情報生成部（１１０）と、
前記モバイルパスポート情報生成部（１１０）を通じて抽出されたパスポート情報の中で文字情報と簡易認証番号及びクーポン番号を暗号化する文字暗号モジュール（１２１）と、前記モバイルパスポート情報生成部を通じて抽出されたパスポート情報の中で写真を含むイメージ情報を暗号化するイメージ暗号モジュール（１２２）とを含み、前記文字暗号モジュールとイメージ暗号モジュールの情報を組み合わせて選択された情報をＱＲコード化する暗号生成部（１２０）と、
文字情報ＤＢとイメージ情報ＤＢを含んで前記暗号生成部（１２０）で生成された情報を保存するモバイルパスポート管理サーバー（１３０）と、
前記暗号生成部（１２０）を通じて暗号化されたＱＲコードとイメージ情報がネットワークを通じて送信されて保存される端末機（１４０）とを含んでなることを特徴とするモバイルパスポート生成システム。
【請求項４】
前記パスポート情報は、
カメラを利用した実物パスポートの撮像Ａ１過程と、
前記Ａ１過程で実物パスポートのＶＩＺ領域（ｖｉｓｕａｌ  ｉｎｓｐｅｃｔｉｏｎ  ｚｏｎｅ）で写真イメージを検出して暗号化し、写真ハッシュ値を付与してイメージ情報を抽出するＡ２過程と、
前記Ａ１過程で実物パスポートのＭＲＺ領域（ｍａｃｈｉｎｅ  ｒｅａｄａｂｌｅ  ｚｏｎｅ）で文字領域を抽出するＡ３過程と、
前記Ａ３過程で抽出された情報でパスポート所持者の氏名、旅券番号、国籍、生年月日、性別、有効期限、市民権番号の文字情報を抽出するＡ４過程と、
前記Ａ４過程で抽出された文字情報をＡ１過程で撮像された内容と比較確認するＡ５過程と、
前記Ａ５過程でエラーが発生した場合、再びＡ１過程を行い、前記Ａ５過程でエラーが発生しない場合抽出されたイメージ情報と文字情報を保存するＡ６過程とを含んで抽出されることを特徴とする請求項３に記載のモバイルパスポート生成システム。
【請求項５】
前記モバイルパスポート情報生成部（１１０）のモバイルパスポート簡易認証部（１１２）は、簡易認証番号ＤＢを含む簡易認証番号サーバーを含み、
暗号化された旅券番号を受けて暗号化された旅券番号キーに対応するランダム方式の簡易認証番号を生成するＢ１過程と、
前記ランダム方式の簡易認証番号を簡易認証番号ＤＢと比較して重複有無を判断するＢ２過程と、
前記Ｂ２過程を経た簡易認証番号を対応する旅券番号とともに前記簡易認証番号ＤＢに保存し、保存された簡易認証番号は定めて活性化させるＢ３過程とを含み、
それぞれの旅券番号に対応する単一簡易認証番号を生成することを特徴とする請求項３に記載のモバイルパスポート生成システム。
【請求項６】
前記モバイルパスポート情報生成部（１１０）のクーポン発行管理部（１１３）は、
クーポン番号ＤＢを含むクーポン発行管理サーバーを含み、
暗号化された旅券番号を受けて前記クーポン番号ＤＢからクーポン番号を１つ選択するＣ１過程と、
前記Ｃ１過程で選択されたクーポン番号をクーポン番号ＤＢに旅券番号とともに保存し、保存されたクーポン番号は定めて活性化させるＣ２過程とを含み、
それぞれの旅券番号に対応する単一モバイルクーポン番号を生成することを特徴とする請求項３に記載のモバイルパスポート生成システム。
【請求項７】
請求項３〜６のいずれか一項によるモバイルパスポート生成システムを通じて生成されたモバイルパスポートを所持しているモバイルパスポート所持者を認証する方法において、
モバイルパスポートの認証を希望する加盟店がスマートフォンまたはバーコードスキャナーを利用してモバイルパスポートのＱＲコード（１０）をスキャンするＤ１ステップと、
前記Ｄ１ステップでスキャンされたＱＲコード内の情報をネットワーク通信を通じてモバイルパスポート管理サーバー（１３０）に認証確認するために要請するＤ２ステップと、
前記モバイルパスポート管理サーバー（１３０）は官庁サーバーにネットワークで通信して旅券番号を照会し、正当な旅券番号である場合、文字情報ＤＢとイメージ情報ＤＢで旅券番号に対応するパスポート情報を前記加盟店のディスプレー画面上に露出されるように伝達するＤ３ステップと、
前記Ｄ３ステップを通じて伝達されたパスポート情報を確認し、イメージ情報上のパスポート写真とモバイルパスポート所持者の実物を加盟店が比較して確認するＤ４ステップとを含んでなることを特徴とするモバイルパスポート認証方法。
【請求項８】
請求項３〜６のいずれか一項によるモバイルパスポート生成システムを通じて生成されたモバイルパスポートを所持しているモバイルパスポート所持者を認証する方法において、
モバイルパスポートの認証を希望する加盟店がモバイルパスポート所持者の簡易認証番号（４１）と認証暗号を入力するＥ１ステップと、
前記Ｅ１ステップで入力された簡易認証番号をネットワーク通信を通じてモバイルパスポート管理サーバー（１３０）に認証確認するために要請するＥ２ステップと、
前記モバイルパスポート管理サーバー（１３０）は要請された簡易認証番号（４１）と認証暗号を確認し、前記簡易認証番号と認証暗号が対応すれば簡易認証番号に対応するパスポート情報の中で旅券番号を官庁サーバーにネットワークで通信して照会を申し込むＥ３ステップと、
前記Ｅ３ステップで官庁サーバーを通じて旅券番号の有効性を確認し、旅券番号が有効でなければ簡易認証番号認証エラーとパスポート有効性エラーを加盟店に伝達するＥ４ステップと、
前記Ｅ３ステップで官庁サーバーを通じて旅券番号が有効で正当な旅券番号である場合、モバイルパスポート管理サーバーは文字情報ＤＢとイメージ情報ＤＢで前記簡易認証番号に対応するパスポート情報を前記加盟店のディスプレー画面上に露出されるように伝達するＥ５ステップと、
前記Ｅ５ステップを通じて伝達されたパスポート情報を確認し、イメージ情報上のパスポート写真とモバイルパスポート所持者の実物を加盟店が比較して確認する  Ｅ６ステップとを含んでなることを特徴とするモバイルパスポート認証方法。
【請求項９】
請求項３〜６のいずれか一項によるモバイルパスポート生成システムを通じて生成されたモバイルパスポートを所持しているモバイルパスポート所持者を認証する方法において、
モバイルパスポートの認証を希望する加盟店がモバイルパスポート所持者のモバイルパスポートと連動されたクーポン番号をスキャンするＦ１ステップと、
前記Ｆ１ステップでスキャンされたクーポン番号をネットワーク通信を通じてモバイルクーポン管理発行部（１１２）のクーポン番号ＤＢとクーポン番号を比較確認要請するＦ２ステップと、
前記Ｆ２ステップで正当なクーポン番号であることを確認し、クーポン番号に連動されるモバイルパスポートの認証キーをモバイルパスポート管理サーバー（１３０）に認証要請するＦ３ステップと、
前記Ｆ２ステップで要請されたクーポン番号が間違えばクーポン番号認証エラーを加盟店に伝達するＦ４ステップと、
前記モバイルパスポート管理サーバー（１３０）は要請された認証キーを照会し、クーポンと連動された正当なモバイルパスポートであるかを照会して対応するパスポート情報の中で旅券番号を官庁サーバーにネットワークで通信して照会を申し込み、正当な旅券番号である場合、文字情報ＤＢとイメージ情報ＤＢで旅券番号に対応するパスポート情報を前記加盟店のディスプレー画面上に露出されるように伝達するＦ５ステップと、
前記Ｆ５ステップを通じて伝達されたパスポート情報を確認し、イメージ情報上のパスポート写真とモバイルパスポート所持者の実物を加盟店が比較して確認するＦ６ステップとを含んでなることを特徴とするモバイルパスポート認証方法。
【請求項１０】
請求項３〜６のいずれか一項によるモバイルパスポート生成システムを通じて生成されたモバイルパスポートを所持しているモバイルパスポート所持者を認証する方法において、
モバイルパスポートの認証を希望する加盟店が発行された税金還付領収証上の税金還付取引番号をスキャンするＧ１ステップと、
前記Ｇ１ステップでスキャンされた税金還付取引番号の税金還付取引情報を含んでいる税金還付取引管理サーバーにネットワーク通信を暗号化して伝達し、税金還付サーバーに保存された取引番号であることを確認要請するＧ２ステップと、
前記Ｇ２ステップで正当な取引番号であることを確認し、取引番号に連動されるモバイルパスポートの認証キーをモバイルパスポート管理サーバー（１３０）に認証要請するＧ３ステップと、
前記Ｇ２ステップで要請された取引番号が間違えば取引番号認証エラーを加盟店に伝達するＧ４ステップと、
前記モバイルパスポート管理サーバー（１３０）は要請された認証キーを照会し、取引番号と連動された正当なモバイルパスポートであるかを照会し、対応するパスポート情報の中で旅券番号を官庁サーバーにネットワークで通信して照会を申し込み、正当な旅券番号である場合、文字情報ＤＢとイメージ情報ＤＢで旅券番号に対応するパスポート情報を前記加盟店のディスプレー画面上に露出されるように伝達するＧ５ステップと、
前記Ｇ５ステップを通じて伝達されたパスポート情報を確認し、イメージ情報上のパスポート写真とモバイルパスポート所持者の実物を加盟店が比較して確認するＧ６ステップとを含んでなることを特徴とするモバイルパスポート認証方法。
【請求項１１】
旅券番号が正当でない旅券番号である場合、該旅券番号に対する情報を官庁サーバーに伝達するステップを含んでなることを特徴とする請求項７〜１０のいずれか一項に記載のモバイルパスポート認証方法。
【請求項１２】
加盟店がモバイルパスポート管理サーバー（１３０）を通じて伝達されたイメージ情報上のパスポート写真とモバイルパスポート所持者の実物を比較してパスポート所持者を確認したことを選択する比較承認ステップ（Ｓ１）と、
前記モバイルパスポート所持者の購買行為による決済要請時に所持者本人であることを確認するためにパスワードを入力する１次パスワード確認ステップ（Ｓ２）と、
前記モバイルパスポート所持者が購買行為時に強化された本人認証に同意した所持者であるか否か判断し、同意した所持者である場合、設定された変形コードを提示する２次パスワード発生ステップ（Ｓ３）と、
前記モバイルパスポート所持者は設定された変形コードを適用して１次パスワードを変形して再入力する２次パスワード確認ステップ（Ｓ４）とをさらに含んでなることを特徴とする請求項７〜１０のいずれか一項に記載のモバイルパスポート認証方法。
【発明の詳細な説明】
【技術分野】
【０００１】
本発明はモバイルパスポート及びこれを生成するためのモバイルパスポート生成システムとモバイルパスポート認証方法に関し、より詳しくは、実物パスポートに記載されたパスポート情報を電子化してモバイルパスポートを生成することにより、パスポートの紛失の虞を解消し、単純にスキャンまたは入力だけで外国人観光客のパスポート認証が容易に行われて、物品購買及び税金還付などの便宜性を増大させたモバイルパスポート及びこれを生成するためのモバイルパスポート生成システムとモバイルパスポート認証方法に関する。
【背景技術】
【０００２】
最近、国際交流が活発になり、海外旅行が普遍化されるなど世界化が進行されるにつれて海外旅行者の数は急激に増加している。
【０００３】
一般に、海外旅行に行ったりビジネス目的で他の国に出国する場合、出国を許可するパスポートを発給して空港を通り抜ける時や該国の空港を通じて入国する時、所定の照会手続きを経るようになっている。
【０００４】
このようなパスポートにはパスポート所有者に対する旅券番号、国籍、氏名、生年月日、性別、有効期限、市民権番号、パスポート写真を含むパスポート情報が記載されている。
【０００５】
そして、空港を通じて出国したり入国する時に、空港職員にパスポートを提示してパスポートを照会する必要があり、パスポートを照会する職員はパスポートに記載されているパスポート所有者に対する身上明細情報を一々確認するとともに、パスポートに貼っている写真とパスポート所有者の顔を比較して同一人物であるかも肉眼で直接確認しなければならないため、空港を通じて入国または出国する人々はパスポートを照会するのにたくさんの時間を消費しなければならなく、ひどい場合には、パスポートの照会に１〜２時間を待たなければならないなどの不便が加重されるという問題点があった。
【０００６】
一方、外国人観光客を対象として免税商品を販売する所は市内免税店、事後免税店に分けられが、事後免税店では税金還付（ＴａｘＲｅｆｕｎｄ）を実施する方法として事前還付と事後還付とに分けられる。
【０００７】
事後免税店で市内免税店と同様に物品を購入する時、即時税金を控除して決済する方法が事前還付である。
【０００８】
このような事前還付は観光客が実物パスポートを必ず所持していなければならなく、これを販売員に提示し、販売員はこれをパスポート認識装置などを通じて読み取ってパスポート情報を確認してから事前還付を実施することができる。
【０００９】
このように税金還付のために観光客が実物パスポートを提示して認識させる煩雑な過程を経る必要があり、外国に滞在中にパスポートを紛失する状況が発生し得る。
【００１０】
このような状況で旅行者たちは自分の身分を証明することができる方法がないだけでなく、パスポートを再発行するために自国領事館または大使館を訪問しなければならない。
【００１１】
類似する例として、実物パスポートの情報を一つのチップに保存した  （特許文献０００１）韓国公開特許第１０−２０１６−００３２００２号公報のように、チップを含む電子パスポートが開発されており、（特許文献０００２）韓国登録特許第１０−１２０５９０５号公報のように、電子パスポートのチップを読んで認証するための各種システム及び方法がある。
【００１２】
結局、このような電子チップを含むパスポートは観光客が実際に所持する実物パスポートで、相変らず紛失の虞があり、税金還付などパスポート所持者の身元を確認するための要請が発生する場合、たくさんの困難があることが現実である。
【先行技術文献】
【特許文献】
【００１３】
【特許文献１】韓国公開特許第１０−２０１６−００３２００２号公報
【特許文献２】韓国登録特許第１０−１２０５９０５号公報
【発明の概要】
【発明が解決しようとする課題】
【００１４】
本発明は前述した問題点を解決するために案出されたもので、パスポート情報を電子化処理してスマートフォンまたは端末機などに保存することにより、税金還付取引または物品の購買などパスポートを認証しなければならない全ての所で用いることができるモバイルパスポート及びこれを生成するためのモバイルパスポート生成システムとモバイルパスポート認証方法を提供することを目的とする。
【００１５】
また、旅券番号の認証を経た旅券番号に簡易認証番号及びクーポン番号を付与し、加盟店はこれを通じて容易に外国人購買者の本人認証ができるように構成されたモバイルパスポート及びこれを生成するためのモバイルパスポート生成システムとモバイルパスポート認証方法を提供することをその目的とする。
【００１６】
また、実物パスポートがなくても税金還付のために事前還付が行われた還付領収証上の税金還付取引番号を利用してモバイルパスワードと連動させて外国人購買者の本人認証が容易にできるモバイルパスポート及びこれを生成するためのモバイルパスポート生成システムとモバイルパスポート認証方法を提供することをその目的とする。
【００１７】
そして、モバイルパスポート所持者の物品購買行為による決済要請時に設定によって変形コードを提示してパスワードを入力することにより、二重で本人認証過程を経るようにするモバイルパスポート及びこれを生成するためのモバイルパスポート生成システムとモバイルパスポート認証方法を提供することをその目的とする。
【課題を解決するための手段】
【００１８】
前記のような目的を達するために、本発明によるモバイルパスポート及びこれを生成するためのモバイルパスポート生成システムとモバイルパスポート認証方法は、旅券番号、国籍、氏名、生年月日、性別、有効期限、市民権番号、パスポート写真の中の少なくとも一つ以上のパスポート情報を実物パスポートから認識して抽出し、モバイルパスポート生成システムを通じて情報を暗号化して再組合してモバイルパスポートを生成する。
【００１９】
モバイルパスポートは、旅券番号、氏名、生年月日、国家及びパスポート写真のハッシュ値をＡＥＳ１２８−ＣＢＣ暗号化して生成したＱＲコード（登録商標）と、抽出されたパスポート写真を表記する写真表記部と、抽出された国家を文字またはイメージで表記する国家表記部と、抽出された旅券番号に対応して生成された簡易認証番号を表記する簡易認証コード部とを含んで構成される。
【００２０】
モバイルパスポートは、スマートフォンのディスプレイウィンドウに変換されて表示されるか、ＱＲコード化して出力されて用いられることができ、対応するクーポン番号が発行されて保存される。
【００２１】
このようなモバイルパスポートは、モバイルパスポート生成システムを通じて生成される。
【００２２】
モバイルパスポート生成システムは、カメラで実物パスポートを認識して抽出したパスポート情報を官庁とネットワーク通信を利用して正常な状態の旅券番号であるかを確認するパスポート認証部と、パスポート情報の中で旅券番号に対応する簡易認証番号を生成するモバイルパスポート簡易認証部と、パスポート情報の中で旅券番号に対応するクーポン番号を生成するクーポン発行管理部とを含むモバイルパスポート情報生成部を有する。
【００２３】
そして、モバイルパスポート生成システムは、モバイルパスポート情報生成部を通じて抽出されたパスポート情報の中で文字情報と簡易認証番号及びクーポン番号を暗号化する文字暗号モジュールと、モバイルパスポート情報生成部を通じて抽出されたパスポート情報の中で写真を含むイメージ情報を暗号化するイメージ暗号モジュールとを含み、文字暗号モジュールとイメージ暗号モジュールの情報を組み合わせて選択された情報をＱＲコード化する暗号生成部を有する。
【００２４】
そして、文字情報ＤＢとイメージ情報ＤＢを含んで暗号生成部で生成された情報を保存するモバイルパスポート管理サーバーを有し、暗号生成部を通じて暗号化されたＱＲコードとイメージ情報がネットワークを通じて送信されて保存される端末機を含んで構成される。
【００２５】
一方、モバイルパスポート生成システムを通じて生成されたモバイルパスポートを所持しているモバイルパスポート所持者を認証する方法において、ＱＲコードと簡易認証番号、クーポン番号及び税金還付取引番号を利用して連動されたパスポート情報を確認することによりモバイルパスポートを認証する。
【発明の効果】
【００２６】
このように、本発明によるモバイルパスポート及びこれを生成するためのモバイルパスポート生成システムとモバイルパスポート認証方法は、第一、実物パスポートをカメラで撮像して容易にパスポート情報を抽出することにより容易にモバイルパスポートを生成することができるという効果を奏する。
【００２７】
第二、実物パスポートを所持しないことから紛失の虞を解消し、モバイルパスポートのみで本人認証が可能になって、税金還付またはパスポートを認証する必要がある全ての所で容易に本人認証ができるという効果を奏する。
【００２８】
第三、従来の紙または合成樹脂で作られた実物パスポートの代りに偽造または変造が防止されたモバイルパスポートを利用することにより、パスポートに対する信頼性を高めるという効果を奏する。
【００２９】
第四、モバイルパスポート管理サーバーを通じていつでもモバイルパスポートを再発行することができ、モバイルパスポートの生成時に連動された簡易認証番号とクーポン番号を通じて本人認証確認ができるという効果を奏する。
【００３０】
第五、外国人観光客の場合、物品を購買するために事前還付を受け、一度認証を受けたモバイルパスポートは税金還付のための税金還付領収証上の税金還付取引番号と連動されて税金還付取引番号のみで本人認証確認ができるという効果を奏する。
【００３１】
第六、モバイルパスポート所持者の物品購買行為による決済の要請時に設定によって変形コードを提示してパスワードを二重に入力することにより正確な本人認証確認ができるいう効果を奏する。
【図面の簡単な説明】
【００３２】
【図１】本発明によるモバイルパスポートの一実施例を示す構成図である。
【図２】本発明によるモバイルパスポートを生成するためのモバイルパスポート生成システムを示す構成図である。
【図３】図２によるモバイルパスポート生成システムのパスポート情報暗号化及びサーバー登録を示す図面である。
【図４】図２によるモバイルパスポート生成システムで実物パスポートからパスポート情報を抽出するための流れを示す図面である。
【図５】図２によるモバイルパスポート生成システムでモバイルパスポート簡易認証番号生成を示す図面である。
【図６】図２によるモバイルパスポート生成システムでモバイルパスポートと連動されたクーポン発行を示す図面である。
【図７】本発明によるモバイルパスポートのＱＲコードを利用して加盟店で照会要請時の認証方法を示す流れ図である。
【図８】本発明によるモバイルパスポートの簡易認証番号を利用して加盟店で照会要請時の認証方法を示す流れ図である。
【図９】本発明によるモバイルパスポートと連動されたクーポン番号を利用して加盟店で照会要請時の認証方法を示す流れ図である。
【図１０】本発明によるモバイルパスポートと連動された税金還付取引番号を利用して加盟店で照会要請時の認証方法を示す流れ図である。
【図１１】本発明によるモバイルパスポートを利用した所持者の物品購買時の二重本人確認過程を示す流れ図である。
【発明を実施するための形態】
【００３３】
本発明は最善の形態で、旅券番号、国籍、氏名、生年月日、性別、有効期限、市民権番号、パスポート写真の中の少なくとも一つ以上のパスポート情報を実物パスポートで認識して抽出し、モバイルパスポート生成システムを通じて情報を暗号化して再組合するが、
旅券番号、氏名、生年月日、国家及びパスポート写真のハッシュ値を暗号化して生成したＱＲコード１０と、
抽出されたパスポート写真を表記する写真表記部２０と、
抽出された国家を文字またはイメージで表記する国家表記部３０と、
抽出された旅券番号に対応して生成された簡易認証番号４１を表記する簡易認証コード部４０とを含んでなり、実物パスポートなしに電子化されたコードだけで身元を確認することができることを特徴とするモバイルパスポートを提示する。
【００３４】
以下、添付図面を参照して本発明によるモバイルパスポート及びこれを生成するためのモバイルパスポート生成システムとモバイルパスポート認証方法の好ましい実施例について詳細に説明する。
【００３５】
本発明を説明するにおいて、係わる公知機能あるいは構成に対する具体的な説明は本発明の要旨を曖昧にしないために省略する。
【００３６】
まず、本発明によるモバイルパスポート及びこれを生成するためのモバイルパスポート生成システムとモバイルパスポート認証方法は、パスポート情報を電子化処理してスマートフォンまたは端末機などに保存することにより税金還付取引またはパスポートを認証する必要がある全ての所で用いることができるモバイルパスポート及びこれを生成するためのモバイルパスポート生成システムとモバイルパスポート認証方法を提供する。
【００３７】
図１を参照すれば、本発明によるモバイルパスポート１は、カメラを通じて実物パスポートを撮像し、これに対する情報を抽出してＱＲコード化するかイメージ情報を暗号化してモバイルパスポート１を所持しているパスポート所持者の端末機にディスプレーされるか顧客のパスポート認証を要請した加盟店端末機にディスプレーされる。
【００３８】
この時、モバイルパスポート１は、旅券番号、国籍、氏名、生年月日、性別、有効期限、市民権番号、パスポート写真の中の少なくとも一つ以上のパスポート情報を実物パスポートから認識して抽出し、モバイルパスポート生成システムを通じて情報を暗号化して再組合する。
【００３９】
具体的に、モバイルパスポート１は、旅券番号、氏名、生年月日、国家及びパスポート写真のハッシュ値をＡＥＳ１２８−ＣＢＣ暗号化して生成したＱＲコード１０と、抽出されたパスポート写真を表記する写真表記部２０と、抽出された国家を文字またはイメージで表記する国家表記部３０と、抽出された旅券番号に対応して生成された簡易認証番号４１を表記する簡易認証コード部４０とを含んでなり、実物パスポートなしに電子化されたコードのみで身元を確認することができるようにする。
【００４０】
この時、前記モバイルパスポート１は、スマートフォンなどの端末機のディスプレイウィンドウに変換されて表示されるか、ＱＲコード化して出力されて用いられることができる。
【００４１】
例えば、紙ステッカーに出力して所持したり手首バンド形式に出力して所持するように構成されることができ、ＱＲコードをスキャンして読むことだけで所持者の身元を確認することができる。
【００４２】
また、モバイルパスポート１の生成時に対応するクーポン番号が一緒に発行されて情報の中に含まれて保存される。
【００４３】
発行されたクーポン番号はパスポート所持者の物品の購買時に使われることができることは勿論である。
【００４４】
好ましくは、前記モバイルパスポート１は後述されるモバイルパスポート生成システム１００を通じて生成され、パスポート情報の有効性を確認することができる機関を通じてモバイルパスポートの生成時に認証生成される。
【００４５】
一方、図２及び図３を参照してモバイルパスポート生成システム１００について詳しく説明すれば下記の通りである。
【００４６】
前記モバイルパスポート生成システム１００は、上述したモバイルパスポート１を生成するためのシステムで、大体モバイルパスポート情報生成部１１０、暗号生成部１２０、モバイルパスポート管理サーバー１３０及び端末機１４０を含んでなる。
【００４７】
前記モバイルパスポート情報生成部１１０は、カメラで実物パスポートを認識して抽出したパスポート情報を官庁とネットワーク通信を通じて正常な状態の旅券番号であるかを確認するパスポート認証部１１１と、前記パスポート情報の中で旅券番号に対応する簡易認証番号を生成するモバイルパスポート簡易認証部１１２と、前記パスポート情報の中で旅券番号に対応するクーポン番号を生成するクーポン発行管理部１１３とを含んで構成される。
【００４８】
そして、暗号生成部１２０は、前記モバイルパスポート情報生成部１１０を通じて抽出されたパスポート情報の中で文字情報と簡易認証番号及びクーポン番号を暗号化する文字暗号モジュール１２１と、前記モバイルパスポート情報生成部を通じて抽出されたパスポート情報の中で写真を含むイメージ情報を暗号化するイメージ暗号モジュール１２２とを含み、前記文字暗号モジュールとイメージ暗号モジュールの情報を組み合わせて選択された情報をＱＲコード化する。
【００４９】
また、前記モバイルパスポート管理サーバー１３０は、文字情報ＤＢとイメージ情報ＤＢを含んで前記暗号生成部１２０で生成された情報を保存し、追後モバイルパスポート１を認証するために要請がある場合、保存された情報と要請された情報を比較して確認し、正当な要請時に保存された情報をパスポート所持者の端末機またはパスポートの照会を要請した加盟店の端末機に表示するように送る。
【００５０】
一方、前記端末機１４０は前記暗号生成部１２０を通じて暗号化されたＱＲコードとイメージ情報がネットワークを通じて送信されて保存される。
【００５１】
そして、図４を参照して、実物パスポートを撮像して認識する過程を説明すれば下記の通りである。
【００５２】
まず、このような過程は、旅券番号、国籍、氏名、生年月日、性別、有効期限、市民権番号、パスポート写真の中の少なくとも一つ以上のパスポート情報は実物パスポートから認識して抽出されるが、カメラを利用した実物パスポートの撮像Ａ１過程を有する。
【００５３】
また、前記Ａ１過程で、実物パスポートのＶＩＺ領域（ｖｉｓｕａｌ  ｉｎｓｐｅｃｔｉｏｎ  ｚｏｎｅ）で写真イメージを検出して暗号化し、写真ハッシュ値を付与してイメージ情報を抽出するＡ２過程を有する。
【００５４】
また、前記Ａ１過程で、実物パスポートのＭＲＺ領域（ｍａｃｈｉｎｅ  ｒｅａｄａｂｌｅ  ｚｏｎｅ）で文字領域を抽出するＡ３過程と、前記Ａ３過程で抽出された情報からパスポート所持者の氏名、旅券番号、国籍、生年月日、性別、有効期限、市民権番号の文字情報を抽出するＡ４過程を有する。
【００５５】
また、前記Ａ４過程で、抽出された文字情報をＡ１過程で撮像された内容と比較確認するＡ５過程を経て、前記Ａ５過程でエラーが発生する場合、再びＡ１過程を実行し、前記Ａ５過程でエラーが発生しない場合、抽出されたイメージ情報と文字情報を保存するＡ６過程を含んで抽出される。
【００５６】
このような過程を通じて実物パスポート上のパスポート情報はイメージ情報と文字情報の形態で抽出されて保存される。
【００５７】
一方、図５を参照すれば、本発明によるモバイルパスポート１を生成する時、ＱＲコードをスキャンせずに付与された簡易認証番号４１を入力するだけで本人認証が容易に行われることができる。
【００５８】
図３と一緒に参照すれば、簡易認証番号４１を生成するための前記モバイルパスポート情報生成部１１０のモバイルパスポート簡易認証部１１２は、簡易認証番号ＤＢを含む簡易認証番号サーバーを含む。
【００５９】
そして、暗号化された旅券番号を受けて暗号化された旅券番号キーに対応するランダム方式の簡易認証番号を生成するＢ１過程と、前記ランダム方式の簡易認証番号を簡易認証番号ＤＢと比較して重複有無を判断するＢ２過程と、前記Ｂ２過程を経た簡易認証番号を対応する旅券番号とともに前記簡易認証番号ＤＢに保存し、保存された簡易認証番号は確定して活性化させるＢ３過程とを含み、それぞれの旅券番号に対応する単一簡易認証番号を生成する。
【００６０】
このような簡易認証番号４１はモバイルパスポート１の一側に記載されて、モバイルパスポート所持者は前記簡易認証番号４１のみを利用して本人認証を受けることができる。
【００６１】
一方、図６を参照すれば、本発明によるモバイルパスポート１を生成する時に、ＱＲコードをスキャンせずに旅券番号に対応するように発行されたクーポン番号を確認するだけで本人認証が容易に行われることができる。
【００６２】
図３と一緒に参照すれば、前記モバイルパスポート情報生成部１１０のクーポン発行管理部１１３は、クーポン番号ＤＢを含むクーポン発行管理サーバーを含む。
【００６３】
そして、暗号化された旅券番号を受けて前記クーポン番号ＤＢでクーポン番号を１つ選択するＣ１過程と、前記Ｃ１過程で選択されたクーポン番号をクーポン番号ＤＢに旅券番号とともに保存し、保存されたクーポン番号は定めて活性化させるＣ２過程とを含んで、それぞれの旅券番号に対応する単一モバイルクーポン番号を生成する。
【００６４】
上述したように、簡易認証番号とクーポン番号を含むモバイルパスポート１は、実物パスポートを所持しなくても簡便に本人認証が行われることができるようにするが、このようなモバイルパスポートを利用した認証方法を説明すれば下記の通りである。
【００６５】
モバイルパスポート１の認証はＱＲコード、簡易認証番号、クーポン番号、税金還付取引番号を利用して連動されたパスポート情報を確認することで行われる。
【００６６】
図７を参照して、モバイルパスポート１のＱＲコードを利用した認証は下記の通りである。
【００６７】
モバイルパスポート生成システムを通じて生成されたモバイルパスポートを所持しているモバイルパスポート所持者を認証する方法において、
モバイルパスポートの認証を希望する加盟店がスマートフォンまたはバーコードスキャナーを利用してモバイルパスポートのＱＲコード１０をスキャンするＤ１ステップと、前記Ｄ１ステップでスキャンされたＱＲコード内の情報をネットワーク通信を通じてモバイルパスポート管理サーバー１３０に認証確認するために要請するＤ２ステップと、前記モバイルパスポート管理サーバー１３０は官庁サーバーにネットワークで通信して旅券番号を照会し、正当な旅券番号である場合、文字情報ＤＢとイメージ情報ＤＢで旅券番号に対応するパスポート情報を前記加盟店のディスプレー画面に露出されるように伝達するＤ３ステップと、前記Ｄ３ステップを通じて伝達されたパスポート情報を確認し、イメージ情報上のパスポート写真とモバイルパスポート所持者の実物を加盟店が比較して確認するＤ４ステップとを含んでなる。
【００６８】
次に、図８を参照して、モバイルパスポート１の簡易認証番号を利用した認証は下記の通りである。
【００６９】
モバイルパスポート生成システムを通じて生成されたモバイルパスポートを所持しているモバイルパスポート所持者を認証する方法において、
モバイルパスポートの認証を希望する加盟店がモバイルパスポート所持者の簡易認証番号４１と認証暗号を入力するＥ１ステップと、前記Ｅ１ステップで入力された簡易認証番号をネットワーク通信を通じてモバイルパスポート管理サーバー１３０に認証確認するために要請するＥ２ステップと、前記モバイルパスポート管理サーバー１３０は要請された簡易認証番号４１と認証暗号を確認し、前記簡易認証番号と認証暗号が対応すれば簡易認証番号に対応するパスポート情報の中で旅券番号を官庁サーバーにネットワークで通信して照会申請するＥ３ステップと、前記Ｅ３ステップで官庁サーバーを通じて旅券番号の有効性を確認し、旅券番号が有効でなければ、簡易認証番号認証エラーとパスポート有効エラーを加盟店に伝達するＥ４ステップと、前記Ｅ３ステップで官庁サーバーを通じて旅券番号が有効で正当な旅券番号である場合、モバイルパスポート管理サーバーは文字情報ＤＢとイメージ情報ＤＢで前記簡易認証番号に対応するパスポート情報を前記加盟店のディスプレー画面上に露出されるように伝達するＥ５ステップと、前記Ｅ５ステップを通じて伝達されたパスポート情報を確認し、イメージ情報上のパスポート写真とモバイルパスポート所持者の実物を加盟店が比較して確認するＥ６ステップとを含んでなる。
【００７０】
また、図９を参照してモバイルパスポート１の生成時に発行されたクーポン番号を利用した認証は下記の通りである。
【００７１】
モバイルパスポート生成システムを通じて生成されたモバイルパスポートを所持しているモバイルパスポート所持者を認証する方法において、
モバイルパスポートの認証を希望する加盟店がモバイルパスポート所持者のモバイルパスポートと連動されたクーポン番号をスキャンするＦ１ステップと、前記Ｆ１ステップでスキャンされたクーポン番号をネットワーク通信を通じてモバイルクーポン管理発行部１１２のクーポン番号ＤＢとクーポン番号を比較確認要請するＦ２ステップと、前記Ｆ２ステップで正当なクーポン番号であることを確認し、クーポン番号に連動されるモバイルパスポートの認証キーをモバイルパスポート管理サーバー１３０に認証要請するＦ３ステップと、前記Ｆ２ステップで要請されたクーポン番号が間違えばクーポン番号認証エラーを加盟店に伝達するＦ４ステップと、前記モバイルパスポート管理サーバー１３０は要請された認証キーを照会し、クーポンと連動された正当なモバイルパスポートであるかを照会し、対応するパスポート情報の中で旅券番号を官庁サーバーにネットワークで通信して照会を申し込み、正当な旅券番号である場合、文字情報ＤＢとイメージ情報ＤＢで旅券番号に対応するパスポート情報を前記加盟店のディスプレー画面上に露出されるように伝達するＦ５ステップと、前記Ｆ５ステップを通じて伝達されたパスポート情報を確認し、イメージ情報上のパスポート写真とモバイルパスポート所持者の実物を加盟店が比較して確認するＦ６ステップとを含んでなる。
【００７２】
そして、図１０を参照してモバイルパスポート１を利用して物品を購買して、事前還付時に還付領収証に含まれた税金還付取引番号を利用した認証は下記の通りである。
【００７３】
モバイルパスポート生成システムを通じて生成されたモバイルパスポートを所持しているモバイルパスポート所持者を認証する方法において、
モバイルパスポートの認証を希望する加盟店が発行された税金還付領収証上の税金還付取引番号をスキャンするＧ１ステップと、前記Ｇ１ステップでスキャンされた税金還付取引番号の税金還付取引情報を含んでいる税金還付取引管理サーバーにネットワーク通信を暗号化して伝達し、税金還付サーバーに保存された取引番号であるかを確認要請するＧ２ステップと、前記Ｇ２ステップで正当な取引番号であることを確認し、取引番号に連動されるモバイルパスポートの認証キーをモバイルパスポート管理サーバー１３０に認証要請するＧ３ステップと、前記Ｇ２ステップで要請された取引番号が間違えば取引番号認証間エラーを加盟店に伝達するＧ４ステップと、前記モバイルパスポート管理サーバー１３０は要請された認証キーを照会し、取引番号と連動された正当なモバイルパスポートであるかを照会し、対応するパスポート情報の中で旅券番号を官庁サーバーにネットワークで通信して照会を申し込み、正当な旅券番号である場合、文字情報ＤＢとイメージ情報ＤＢで旅券番号に対応するパスポート情報を前記加盟店のディスプレー画面上に露出されるように伝達するＧ５ステップと、前記Ｇ５ステップを通じて伝達されたパスポート情報を確認し、イメージ情報上のパスポート写真とモバイルパスポート所持者の実物を加盟店が比較して確認するＧ６ステップとを含んでなる。
【００７４】
一方、本発明のモバイルパスポート１と連動された本人の認証時、旅券番号が正当でない旅券番号である場合、該旅券番号に対する情報を官庁サーバーに伝達するステップを含み、犯罪露出や旅券番号盗用による問題点が発生しないようにする。
【００７５】
上述したモバイルパスポート認証方法を通じて、モバイルパスポート所持者はＱＲコードまたは簡易認証番号、クーポン番号、税金還付取引番号の中の何れか一つの情報を有していれば、このような情報を加盟店が確認して加盟店のディスプレー画面上に伝達されたパスポート情報を所持者の実物と比較して認証されることができる。
【００７６】
一方、モバイルパスポート所持者はモバイルパスポートの生成のための最初生成時に、物品の購買などの決済行為が行われる場合、本人確認手続きを二重に行われるように設定することができる。
【００７７】
これは最初モバイルパスポートの生成時に、必要によってモバイルパスポート所持を所望の加入者が設定することができる。
【００７８】
図１１を参照して、このような二重確認手続きに加入されたモバイルパスポート所持者のモバイルパスポート認証方法を確認すれば下記の通りである。
【００７９】
まず、上述のＱＲコードまたは簡易認証番号、クーポン番号、税金還付取引番号を利用した身元確認、即ち、本人認証時に加盟店がモバイルパスポート管理サーバー１３０を通じて伝達されたイメージ情報上のパスポート写真とモバイルパスポート所持者の実物を比較してパスポート所持者を確認したことを選択する比較承認ステップＳ１がさらに含まれる。
【００８０】
このような加盟店の選択は加盟店のディスプレー画面上に加盟店主の選択で確認することができる。
【００８１】
そして、前記モバイルパスポート所持者の購買行為による決済要請がある場合、所持者本人であることを確認するために、既に所持者が設定したパスワードを入力する１次パスワード確認ステップＳ２を実行する。
【００８２】
このようなパスワードの同一確認有無は加盟店の端末機内で行われ、この時、前記モバイルパスポート所持者が購買行為時に強化された二重確認手続きによる本人認証に同意した所持者であるか否かがモバイルパスポート管理サーバー１３０を通じて確認されて加盟店に伝達され、同意した所持者の場合、既に設定された変形コードを提示する２次パスワード発生ステップＳ３を実行する。
【００８３】
即ち、２次パスワード発生ステップＳ３は１次パスワード確認ステップＳ２を経た所持者に対して二重確認手続きを発生させることで、前記設定された変形コードは既にモバイルパスポート所持者が承知しているパターン方式に適用可能な変形コードである。
【００８４】
次に、前記モバイルパスポート所持者は設定された変形コードを適用して１次パスワードを変形して入力する２次パスワード確認ステップＳ４を経ることで本人認証が完了される。
【００８５】
一方、変形コードはディスプレー上に数字または約束された文字で現れることができ、このような数字または約束された文字はモバイルパスポート所持者が既に入力した１次パスワードを予めモバイルパスポート所持者が決めたパターン方法、言い換えれば加えるか引くか位置を変更するなどのパターン方法を通じて２次パスワードに変形させなければならないということをモバイルパスポート所持者が認識するようにする。
【００８６】
そして、モバイルパスポート所持者は設定された変形コードを確認し、変形した２次パスワードを入力することで本人認証が完了される。
【００８７】
例えば、一例として、１次パスワードが１２３４で、変形コードは３という数字を提示する。
【００８８】
モバイルパスポート所持者は変形コードが数字である場合、該数字を加えることでパターンを設定したと仮定すれば、モバイルパスポート所持者は３という数字を二重確認手続きに同意すると設定したように、１次パスワードに加えて前記２次パスワード確認ステップＳ４で１２３７という２次パスワードを入力することで本人認証を再び完了される。
【００８９】
このような方法は一実施例に過ぎず、上述の変形コードとパターンは多様に設定することができることは勿論である。
【００９０】
このような二重本人認証手続きを通じて、モバイルパスポート所持者の購買行為をもう一度確認することができるだけでなく、加盟店がモバイルパスポート所持者をもう一度確認して安全な購買行為及び本人認証が行われることができる。
【００９１】
また、モバイルパスポートを紛失した場合、ＱＲコード、簡易認証番号のみを所持している者の二重確認手続きを通じてもう一度本人認証を確認することができる。
【００９２】
以上で説明した本発明は、発明が属する技術分野で通常の知識を有する者が本発明の技術的思想を逸脱しない範囲内で様々な置換変形及び変更が可能であるので、前述した実施例及び添付図面に限定されるのではない。
【図１】
2021520534.tif 000003
【図２】
2021520534.tif 000004
【図３】
2021520534.tif 000005
【図４】
2021520534.tif 000006
【図５】
2021520534.tif 000007
【図６】
2021520534.tif 000008
【図７】
2021520534.tif 000009
【図８】
2021520534.tif 000010
【図９】
2021520534.tif 000011
【図１０】
2021520534.tif 000012
【図１１】
2021520534.tif 000013
【国際調査報告】
2021520534.tif 000014
2021520534.tif 000015
2021520534.tif 000016
2021520534.tif 000017
2021520534.tif 000018
2021520534.tif 000019